(57)【要約】【課題】安全面で優れた電気掃除機を提供する。【解決手段】塵埃を吸引するためのファンモータと、塵埃を吸引する吸い込み具に連通し、塵埃を捕集するための集塵室と、前記ファンモータからの排気を外部に放出するための排気口を備えた本体と、前記排気口に接し、排気中の塵成分を捕集するためのフィルターと、前記フィルターを前記排気口側に付勢し、所定値以上の排気圧力を受けた時に前記フィルターが前記排気口から離れる方向に可動するバネを有する排気カバーを備え、前記排気カバーは前記フィルターを保持し、前記本体から着脱自在とする。【選択図】図１
2010227473.tif 000002
【特許請求の範囲】
【請求項１】
塵埃を吸引するためのファンモータと、塵埃を吸引する吸い込み具に連通し、塵埃を捕集するための集塵室と、前記ファンモータからの排気を外部に放出するための排気口を備えた本体と、前記排気口に接し、排気中の塵成分を捕集するためのフィルターと、前記フィルターを前記排気口側に付勢し、所定値以上の排気圧力を受けた時に前記フィルターが前記排気口から離れる方向に可動するバネを有する排気カバーを備え、前記排気カバーは前記フィルターを保持し、前記本体から着脱自在である構成の電気掃除機。
【請求項２】
前記バネ形状を前記フィルターから一体形成した構成の請求項１項記載の電気掃除機。
【請求項３】
前記排気口近傍に笛体を設け、前記フィルターが前記排気口から離れた際の隙間から放出された排気により前記笛体を鳴らす構成の請求項１または２項記載の電気掃除機。
【請求項４】
前記フィルターが前記排気口から離れた際に、ＬＥＤ等表示物を表示させる表示スイッチを前記本体に設けた構成の請求項１から３のいずれか１項記載の電気掃除機。
【請求項５】
前記フィルターが前記排気口から離れた際に、前記ファンモータの運転を停止させるための安全スイッチを前記本体に設けた構成の請求項１から４のいずれか１項記載の電気掃除機。
【発明の詳細な説明】
【技術分野】
【０００１】
本発明は一般家庭で使用される電気掃除機に関するもので、特に安全性に関するものである。
【背景技術】
【０００２】
従来の電気掃除機を、図７を用いて説明する。図７に示す電気掃除機は、本体１３に塵埃を吸引するためのファンモータ１４と、塵埃を吸引する吸い込み具に連通し、塵埃を捕集するための集塵室１５と、前記ファンモータ１４からの排気を外部に放出するための排気口１６と、前記本体１３と前記排気口１６との間の排気通路１７中に微細塵を捕集する排気フィルター１８を備えている。前記排気フィルター１８は前記排気通路１７に沿って所定範囲移動可能に設けるとともに前記排気口１６側にバネ１９で付勢し、前記排気フィルター１８が前記排気通路１７側の所定値以上の排気圧力で前記排気口１６側に変移させられたときに、前記排気フィルター１８の前後を通過させるバイパス通路２０を前記本体１３内に設けている（例えば、特許文献１参照）。
【特許文献１】特開平８−１７７５２号公報
【発明の開示】
【発明が解決しようとする課題】
【０００３】
しかしながら上記従来の電気掃除機の構成では、電気掃除機を長期間使用し、前記ファンモータ１４から排出されるカーボン粉や前記集塵室１５から漏れた細かい塵埃が前記排気フィルター１８に蓄積して前記排気フィルター１８が目詰まりを起こした場合でも、前記排気フィルター１８を容易に交換することができないため、前記バイパス通路２０から前記排気フィルター１８を通らない細塵を含んだ汚い排気を外部へ放出し続けることで部屋の空気を汚していた。
【０００４】
また、前記排気フィルター１８が目詰まりを起こしていることを気づかせる手段を有していないため、使用者は汚い排気で部屋が汚されていることに気づかないまま、長期使用することで健康を害する危険性もあった。
【０００５】
本発明は上記課題を解決するもので、安全性に優れた電気掃除機を提供することを目的としている。
【課題を解決するための手段】
【０００６】
上記課題を解決するために本発明は、塵埃を吸引するためのファンモータと、塵埃を吸引する吸い込み具に連通し、塵埃を捕集するための集塵室と、前記ファンモータからの排気を外部に放出するための排気口を備えた本体と、前記排気口に接し、排気中の塵成分を捕集するためのフィルターと、前記フィルターを前記排気口側に付勢し、所定値以上の排気圧力を受けた時に前記フィルターが前記排気口から離れる方向に可動するバネを有する排気カバーを備え、前記排気カバーは前記フィルターを保持し、前記本体から着脱自在であることにより、電気掃除機を長期間使用し、前記ファンモータから排出されるカーボン粉や前記集塵室から漏れた細かい塵埃が前記フィルターに蓄積して前記フィルターが目詰まりを起こした場合でも、前記排気カバーを外すことにより前記フィルターを容易に交換することができるため、長期間前記フィルターを通らない細塵を含んだ汚い排気を外部へ放出し続けることで部屋の空気を汚すことで使用者の健康を害するといった危険性を防止できる安全性に優れた電気掃除機を提供することができる。
【発明の効果】
【０００７】
本発明は、安全性に優れた電気掃除機を提供することができる。
【発明を実施するための最良の形態】
【０００８】
第１の発明は、塵埃を吸引するためのファンモータと、塵埃を吸引する吸い込み具に連通し、塵埃を捕集するための集塵室と、前記ファンモータからの排気を外部に放出するための排気口を備えた本体と、前記排気口に接し、排気中の塵成分を捕集するためのフィルターと、前記フィルターを前記排気口側に付勢し、所定値以上の排気圧力を受けた時に前記フィルターが前記排気口から離れる方向に可動するバネを有する排気カバーを備え、前記排気カバーは前記フィルターを保持し、前記本体から着脱自在であることにより、電気掃除機を長期間使用した時、前記ファンモータから排出されるカーボン粉や前記集塵室から漏れた細かい塵埃が前記フィルターに蓄積して前記フィルターが目詰まりを起こした場合でも、前記排気カバーを外すことにより前記フィルターを容易に交換することができるため、長期間前記フィルターを通らない細塵を含んだ汚い排気を外部へ放出し続けることで部屋の空気を汚すことで使用者の健康を害するといった危険性を防止できる安全性に優れた電気掃除機を提供することができる。
【０００９】
第２の発明は、前記バネ形状を前記フィルターから一体形成したことにより、部品点数を削減することができる安価で安全性に優れた電気掃除機を提供することができる。
【００１０】
第３の発明は、前記排気口近傍に笛体を設け、前記フィルターが前記排気口から離れた際の隙間から放出された排気により前記笛体を鳴らすことで、使用者に前記フィルターが目詰まりしており、これ以上使用することが危険であることを聴覚で知らせることができる安全性に優れた電気掃除機を提供することができる。
【００１１】
第４の発明は、前記フィルターが前記排気口から離れた際に、ＬＥＤ等表示物を表示させる表示スイッチを前記本体に設けたことで、使用者に前記フィルターが目詰まりしており、これ以上使用することが危険であることを視覚で表示させることができる安全性に優れた電気掃除機を提供することができる。
【００１２】
第５の発明は、前記フィルターが前記排気口から離れた際に、前記ファンモータの運転を停止させるための安全スイッチを前記本体に設けたことで、前記フィルターが目詰まりすると前記安全スイッチが動作して前記ファンモータを強制的に停止させることにより、長期間前記フィルターを通らない細塵を含んだ汚い排気を外部へ放出し続けることで部屋の空気を汚すことで使用者の健康を害するといった危険性を防止できる安全性に優れた電気掃除機を提供することができる。
【００１３】
（実施の形態１）
本発明の第１の実施の形態について図１〜図９を用いて説明する。図１〜図９において、１は塵埃を吸引するためのファンモータ２と、吸引した塵埃を捕集するための集塵室３と、前記ファンモータ２からの排気を外部に放出するための排気口４を備えた本体であり、５は前記排気口４に接し、排気中の塵成分を捕集するためのフィルターであり、６は前記フィルター５を保持するための排気カバーであり前記本体４から着脱自在となっている。前記排気カバー６には前記フィルター５を前記排気口４側に付勢するバネ７を備えており、長期間電気掃除機を使用すると、図２のように、前記ファンモータ２から排出されるカーボン粉や前記集塵室３から漏れた細かい塵埃が前記フィルター５に蓄積して前記フィルター５が目詰まりを起こし、前記バネ７で付勢された前記フィルター５が所定値以上の排気圧力を受けた時に前記フィルター５が前記排気口４から離れる方向に可動するようになっている。
【００１４】
電気掃除機を長期間使用した時、前記ファンモータ２から排出されるカーボン粉や前記
集塵室３から漏れた細かい塵埃が前記フィルター５に蓄積して前記フィルター５が目詰まりを起こした場合でも、前記排気カバー６を外すことにより前記フィルター５を容易に交換することができるため、長期間前記フィルター５を通らない細塵を含んだ汚い排気を外部へ放出し続けることで部屋の空気を汚すことで使用者の健康を害するといった危険性を防止できる安全性に優れた電気掃除機を提供することができる。
【００１５】
また、図３において、前記バネ７は前記排気カバー６から一体形成させることで、部品点数を削減することができる安価で安全性に優れた電気掃除機を提供することができる。
【００１６】
図４において、前記排気口４の前記フィルター５の周囲近傍にガイドリブ８を設け、上記ガイドリブ８上に笛体９を設けている。前記フィルター５が排気の圧力により前記排気口４から離れた時、隙間から噴出した排気により前記笛体９を鳴らすことで、使用者に前記フィルター５が目詰まりしており、これ以上使用することが危険であることを音によって確実に知らせることができる安全性に優れた電気掃除機を提供することができる。
【００１７】
図５において、１０はＬＥＤ等の電気表示体であり、前記フィルター５が排気の圧力により前記排気口４から離れた時に、前記排気カバー６内に設けた表示スイッチ１１を動作させることにより前記電気表示体１０を点灯または消灯させることで、前記フィルター５の交換時期を表示可能にすることで、使用者に前記フィルター５が目詰まりしており、これ以上使用することが危険であることを表示させることができる安全性に優れた電気掃除機を提供することができる。
【００１８】
図６において、１２は前記ファンモータ２の動作制御を行う安全スイッチであり、前記フィルター５が排気の圧力により前記排気口４から離れた時に、前記排気カバー６内に設けた前記安全スイッチ１２を動作させることにより前記ファンモータ２を強制的に停止させることで、前記フィルター５が目詰まりした時に長期間前記フィルターを通らない細塵を含んだ汚い排気を外部へ放出し続けることで部屋の空気を汚すことで使用者の健康を害するといった危険性を防止できる安全性に優れた電気掃除機を提供することができる。
【産業上の利用可能性】
【００１９】
以上のように、本発明にかかる電気掃除機は安全面に優れた極めて有用なものである。
【図面の簡単な説明】
【００２０】
【図１】本発明の実施の形態１を示す電気掃除機の要部断面図
【図２】同電気掃除機の要部断面図
【図３】同電気掃除機の要部断面図
【図４】同電気掃除機の要部断面図
【図５】同電気掃除機の要部断面図
【図６】同電気掃除機の要部断面図
【図７】従来の電気掃除機の要部断面図
【符号の説明】
【００２１】
１  本体
２  ファンモーター
３  集塵室
４  排気口
５  フィルター
６  排気カバー
７  バネ
【図１】
2010227473.tif 000003
【図２】
2010227473.tif 000004
【図３】
2010227473.tif 000005
【図４】
2010227473.tif 000006
【図５】
2010227473.tif 000007
【図６】
2010227473.tif 000008
【図７】
2010227473.tif 000009